Podtech/llm-jp-corpus-v4-ja_patent huggingface dataset:
(57)【要約】【課題】  安定的にフレキシブル回路板を搬送するフレキシブル回路板の搬送ローラーを提供する。【解決手段】  エッチング機の内部における回転軸に設けられるフレキシブル回路板の搬送ローラーであって、該搬送ローラーにおける本体の周縁に幅が広い外部リングが設けられることを特徴とするフレキシブル回路板の搬送ローラー。【選択図】図１
0003105337.tif 000002
【実用新案登録請求の範囲】
【請求項１】
エッチング機の内部における回転軸に設けられるフレキシブル回路板の搬送ローラーであって、該搬送ローラーにおける本体の周縁に幅が広い外部リングが設けられることを特徴とするフレキシブル回路板の搬送ローラー。
【請求項２】
前記外部リングに複数の孔が形成されることを特徴とする請求項１に記載のフレキシブル回路板の搬送ローラー。
【考案の詳細な説明】
【技術分野】
【０００１】
本考案は、特に安定的にフレキシブル回路板を搬送するフレキシブル回路板の搬送ローラーに関するものである。
【背景技術】
【０００２】
フレキシブル回路板は複数の搬送ローラーによってエッチング機で加工して製造する。
【０００３】
図５及び図６に示すように、前記エッチング機は内部に上下配列するように複数の回転軸（１５）（２１）が設けられ、下部における回転軸（１５）に複数の搬送ローラー（３０）が枢設され、各回転軸（１５）における搬送ローラー（３０）は交差配列のように設置されると共に、上部における回転軸（２１）に搬送ローラー（３０）に対する押圧ローラー（２０）が設けられる。フレキシブル回路板（４０）を搬送する場合、搬送ローラー（３０）と押圧ローラー（２０）によってフレキシブル回路板（４０）が挟持されることにより、エッチング機の内部に移動する。
【考案の開示】
【考案が解決しようとする課題】
【０００４】
しかしながら、前記フレキシブル回路板（４０）は薄く、且つ周縁の強度が弱いので、搬送中、周辺におけるフレキシブル回路板は変形する恐れがある。
【０００５】
そこで、案出されたのが本考案であって、安定的にフレキシブル回路板を搬送するフレキシブル回路板の搬送ローラーを提供することを目的としている。
【課題を解決するための手段】
【０００６】
本願の請求項１の考案は、エッチング機の内部における回転軸に設けられるフレキシブル回路板の搬送ローラーであって、該搬送ローラーにおける本体の周縁に幅が広い外部リングが設けられることを特徴とするフレキシブル回路板の搬送ローラー及び、本願の請求項２の考案は、前記外部リングに複数の孔が形成されることを特徴とする請求項１に記載のフレキシブル回路板の搬送ローラーを提供する。
【考案の効果】
【０００７】
本考案は上記の課題を解決するものであり、搬送ローラーにおける本体の周縁に幅が広い外部リングが設けられることにより、フレキシブル回路板に支持する効果を提供すると共に、フレキシブル回路板は変形しないように安定的にエッチング機の内部に移動することができる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１は本考案に係るフレキシブル回路板の搬送ローラーの斜視図であり、図２は本考案に係るフレキシブル回路板の搬送ローラーと幅が狭い押圧ローラーの使用する状態を示す正面図であり、図３は本考案に係るフレキシブル回路板の搬送ローラーと幅が広い押圧ローラーの使用する状態を示す正面図であり、図４は本考案に係るフレキシブル回路板の搬送ローラーによってフレキシブル回路板を搬送する状態を示す斜視図である。
【００１０】
図１乃至図４に示すように、本考案に係るフレキシブル回路板の搬送ローラー（１０）はエッチング機（符号なし）における複数の回転軸（１５）に設けられるものであり、その本体（１１）の周縁に幅が広い外部リング（１２）が設けられると共に、外部リング（１２）に複数の孔（１３）が形成される。
【００１１】
前記搬送ローラー（１０）の中央に取付パイプ（１４）が設けられ、該取付パイプ（１４）の両端に凹凸連続の嵌合溝（１４１）と嵌合プレート（１４２）が設けられることにより、複数の搬送ローラーは一本の回転軸に設けられる。又、搬送ローラーの上部に回転軸（２１）が設けられると共に、回転軸（２０）に搬送ローラー（１０）に対応する押圧ローラー（２０）が設けられ、フレキシブル回路板（４０）を搬送する場合、搬送ローラー（１０）と押圧ローラー（２０）によってフレキシブル回路板（４０）が挟持されことにより、エッチング機の内部に移動する。
【００１２】
図２に示すように、該押圧ローラー（２０）は幅が狭いものであり、又、図３に示すように、搬送ローラー（１０）の上部における回転軸（２３）に幅が広い押圧ローラー（２２）が設置されてもよい。
【００１３】
図４に示すように、搬送ローラー（１０）における本体（１１）の周縁に幅が広い外部リング（１２）が設けられることにより、フレキシブル回路板（４０）に支持する効果を提供するので、フレキシブル回路板（４０）は変形しないように安定的にエッチング機の内部に移動することができる。又、前記外部リング（１２）に複数の孔（１３）が形成されることにより、フレキシブル回路板を洗う場合、水又は薬液を孔（１３）によって下方へ流れ出すことができる。
【産業上の利用可能性】
【００１４】
本考案は上記の構成を有するので、搬送ローラーにおける本体の周縁に幅が広い外部リングが設けられることにより、フレキシブル回路板に支持する効果を提供すると共に、フレキシブル回路板は変形しないように安定的にエッチング機の内部に移動することができる。
【図面の簡単な説明】
【００１５】
【図１】本考案に係るフレキシブル回路板の搬送ローラーの斜視図である。
【図２】本考案に係るフレキシブル回路板の搬送ローラーと幅が狭い押圧ローラーを使用する状態を示す正面図である。
【図３】本考案に係るフレキシブル回路板の搬送ローラーと幅が広い押圧ローラーを使用する状態を示す正面図である。
【図４】本考案に係るフレキシブル回路板の搬送ローラーによってフレキシブル回路板を搬送する状態を示す斜視図である。
【図５】従来のフレキシブル回路板の搬送ローラーと押圧ローラーを示す正面図である。
【図６】従来のフレキシブル回路板の搬送ローラーによってフレキシブル回路板を搬送する状態を示す斜視図である。
【符号の説明】
【００１６】
１０…搬送ローラー、  １１…本体、  １２…外部リング、  １３…孔、
１４…取付パイプ、  １４１…嵌合溝、  １４２…嵌合プレート、
１５…回転軸、  ２０…押圧ローラー、  ２１…回転軸、
２２…押圧ローラー、  ２３…回転軸、  ３０…搬送ローラー、
４０…フレキシブル回路板。
【図１】
0003105337.tif 000003
【図２】
0003105337.tif 000004
【図３】
0003105337.tif 000005
【図４】
0003105337.tif 000006
【図５】
0003105337.tif 000007
【図６】
0003105337.tif 000008
(57)【要約】      （修正有）【課題】高齢者や身体障害者でも自力で装着可能であるとともに、着用したままの入浴も可能とする分割布片型の下着を提供する。【解決手段】ベルト型の巻着部１の端部に係止部を設け、巻着部に垂下布片３を取り付けた。【選択図】図２
0003105339.tif 000002
【実用新案登録請求の範囲】
【請求項１】
ベルト型の巻着部の端部に係止部を設け、該巻着部に複数枚の垂下布片を取り付けたことを特徴とする分割布片型下着。
【請求項２】
垂下布片を複数枚設けるとともに、隣り合う垂下布片の一部が互いに重なり合うよう構成してなる請求項１記載の分割布片型下着。
【考案の詳細な説明】
【技術分野】
【０００１】  この考案は、身体に着脱容易であるとともに、着用したままでの入浴も可能なる分割布片型の下着に関する。
【背景技術】
【０００２】  従来より、腰部に着用する下着としてパンツが一般的であるが、本案にて示すような分割布片を用いた下着は現在のところ見当たらない。
【考案の開示】
【考案が解決しようとする課題】
【０００３】  前記のように下着としてのパンツが多用されており、健常者着用についてはとくに問題はない。しかし、手の不自由な高齢者や身体障害者にとっては自力でのパンツ着用が困難な場合が多く、介護者の手助けを必要としている。また、入浴のときはパンツを脱がなければならないが、その着脱の都度介護者の手を借りることとなり、また、パンツを着用したままでの入浴は公衆浴場では拒否されることが多いものである。
本案は、以上のような従来からの腰部着用下着としてのパンツに関わる課題を解決するために考案されたもので、自力での着脱が容易であるとともに着用したままでの入浴も可能なる、新規かつ有用なる分割布片型の下着を提供することを目的としたものである。
【課題を解決するための手段】
【０００４】  課題を解決する手段として本案は、巻着部に垂下布片を設けてその主要部を構成した。
すなわち、ベルト型の巻着部の端部に係止部を設け、該巻着部に複数枚の垂下布片を取り付ける。本案は以上の構成よりなる分割布片型下着である。
【考案の効果】
【０００５】  本案は下記の効果を有する。
１．面ファスナー等による係止にて腰部に装着する方式のため、従来のパンツに比べてそ  の着脱が容易であり、高齢者や身体障害者でも自力で着脱できる。
２．腰部周囲に垂下布片が位置するので、局部が露見することがなく、また風通しよく開  放的であるため、夏季でも蒸れることがない。
３．一般のパンツと異なる構成のため、着用したまま入浴することができる。
４．女性入浴者の場合、タオル等で局部を覆い隠す必要がなく、両手を使ってものを持っ  たり幼児を抱くことができる。
【考案を実施するための最良の形態】
【０００６】  以下、本案の実施形態について説明する。
図において、１は巻着部で、ベルト状の細長布片であり、その両端近傍の表面および裏面には係着部としての面ファスナー２が縫着される。３は垂下布片で、長方形状の布片であり、その上端は前記巻着部に縫着される。
この垂下布片は本実施形態では３ａ〜３ｄの同形の４枚の布片にて構成されている。
この各々の垂下布片は図１に示すように、互いの布片の一部が重なるように設けられる。
すなわち、図１における左端の垂下布片３ａの右となりには垂下布片３ｂが位置するが、この垂下布片３ｂの左端部分は垂下布片３ａの右端の上に位置している。また、垂下布片３ｃの左端は垂下布片３ｂの下に位置している。このように隣り合う布片の一部は互い違いに重なって位置している。またこれらの垂下布片の幅と枚数は、着用者の腰部周囲を覆うに必要なサイズと枚数である。
本案使用時は図２にて示すように、着用者の腰部適所に巻着部を巻きつけ、面ファスナーを重ねて係止する。すると垂下布片は腰部周囲に垂れ下がり、腰部と局部を覆い隠すこととなり、一般のパンツ同様に使用することができる。なお、垂下布片の一部が互いに重なるよう構成したので、体の動きによる身体局部の露見を防止することができる。【０００７】  一般のパンツは足元からくぐらせて腰部に位置させるため、手足の操作が必要であるが本案は巻着部を腰部に巻きつけて面ファスナーにて係止させ、またこの係止を解除するだけで身体への着脱ができるため、高齢者自身でその着脱をすることができる。また、障害の程度によっては身体障害者でも扱うことができる。本案は巻着部から複数枚の布片が、その一部が重なる状態にて垂れ下がるため、着用時は身体の必要個所を適宜に覆い隠すことができる。
本案の内容については既述したが、本案は垂下布片を用いるところにその特徴がある。
従来のパンツはその下部の穴に両足を足先からくぐらせて腰部位置までずり上げて着用しなければならず、手足の動きとコントロールが必要であった。
しかるに本案は腰部に係止させるだけで垂下布片が垂れ下がって局部を覆い隠すことができるため、その着脱が容易であり、分割布片形式のため風通しもよく、着用したままでの入浴も可能となる特徴を有するものになったのである。
なお、実施形態では係止手段として面ファスナーを用い、ウエストサイズに適合するように双方の面ファスナーサイズを違えたものとしたが、他の係止手段、例えばスナップ、ボタン、紐などを用いてもよい。また、垂下布片を４枚としているが、６枚や８枚など適宜の枚数にて構成してもよく、１枚の垂下布片サイズを適宜に変更して用いてもよい。
この垂下布片材質は一般的布材であるが、防水仕様や撥水仕様の布片を用いてもよい。
以上のごとく、本案にて使用に便利なる分割布片型の下着を得ることができる。
【図面の簡単な説明】
【０００８】
【図１】  本考案の平面図
【図２】  本考案の使用状態説明図
【符号の説明】
【０００９】  １    巻着部
２    面ファスナー
３    垂下布片
３ａ  垂下布片
３ｂ  垂下布片
３ｃ  垂下布片
３ｄ  垂下布片
【図１】
0003105339.tif 000003
【図２】
0003105339.tif 000004
(57)【要約】      （修正有）【課題】本考案の２段座椅子は、１段目は座椅子として利用、２段目は低椅子にしました。【解決手段】老人、足、腰の弱い方は、腰をおろしたり、座椅子では立のも大変です、椅子では、高く利用が少ない。考案の２段座椅子は、１段めは座椅子で、２段目は低椅子で座卓とも共用出来て、利便性がある。【選択図】図２
0003105321.tif 000002
【実用新案登録請求の範囲】
【請求項１】
背もたれ（１）に肘掛け（４）と床座（５）を組み合わせ、肘掛け（４）の上に平板（２）を乗せ、背もたれ（１）と平板（２）の接点を軸に蝶番（３）でつなぎ、平板（２）を立てたり、横にしたり、自由に動くようにして、平板（２）を立てると座椅子になり、寝かせると肘掛け（４）の上に止まり椅子となる２段座椅子。
【考案の詳細な説明】
【技術分野】
【０００１】
本考案は、足、腰が悪いと座椅子では立つのが大変、従来の椅子では高すぎて座るのが大変等の不便を解消するところの座椅子と椅子を兼用できる２段構造の座椅子に関するものである。
【背景技術】
【０００２】
従来から座椅子や椅子はあった。しかし座椅子と椅子の両方を利用する場合は、移動が大変であったり、また場所も必要であった。
【考案の開示】
【考案が解決しようとする課題】
【０００３】
足腰が悪いと座椅子では立つのが大変であり、従来の椅子では高すぎて座るのが大変であった。
【課題を解決するための手段】
【０００４】
上記課題を解決するために、本考案は、背もたれ（１）に肘掛け（４）と床座（５）を組み合わせ、肘掛け（４）の上に平板（２）を乗せ、背もたれ（１）と平板（２）の接点を軸に蝶番（３）でつなぎ、平板（２）を立てたり、横にしたり、自由に動くようにして、平板（２）を立てると座椅子になり、寝かせると肘掛け（４）の上に止まり椅子となるような２段構造の座椅子としたことを特徴とする。
【考案の効果】
【０００５】
本考案の２段座椅子は、使う人に利便性を与える。本考案は、足、腰が弱く長い時間同じ体勢でいられない人のために、好きな姿勢で利用できる椅子を提供でき、健康保持につながる。
【考案を実施するための最良の形態】
【０００６】
本考案は、背もたれ（１）に、肘掛け（４）と床座（５）を１体化にして、座椅子とする。肘掛け（４）の上に平板（２）をのせ、背もたれ（１）との接点を軸にして蝶番（３）で結合にする事により、平板（２）は立てることも、横にする事も出来る。平板（２）を立てると背もたれ（１）と合わさり、座椅子の背たれとなり、横にすると、肘掛け（４）の上で止り低椅子となる。これにより座椅子と低い椅子の両方に使用できる。また足腰が悪い人ばかりでなく、健康な人にも使用出来る。すわる時も、立つ時もスムースにでき、場所も１ケ所ですむ。
【図面の簡単な説明】
【０００７】
【図１】平板（２）を上げて座椅子にした平面図である。
【図２】平板（２）を下げて椅子にした断面図である。
【符号の説明】
【０００８】
１背もたれ
２平板
３蝶番
４肘掛け
５床座
６キヤスター
【図１】
0003105321.tif 000003
【図２】
0003105321.tif 000004
(57)【要約】      （修正有）【課題】携行時の利便性と、防犯機能を有する携帯用袋物を提供する。【解決手段】防犯ブザーは、本体と操作系統を分割し、携帯用袋物には、本来の機能を壊さないように、袋物の様々な形態に応じその内部にブザー本体を収納し、分割した操作スイッチを手紐やベルト、肩掛など、外部の手が届きやすい部分に設置し、手が触れると作動し、警笛音が鳴るようにした。【選択図】図１
0003105123.tif 000002
【実用新案登録請求の範囲】
【請求項１】
防犯ブザーを内蔵し、防犯機能を付加したバッグ・鞄・リュックサック、ランドセル等の携帯用袋物
【考案の詳細な説明】
【考案の開示】
【考案が解決しようとする課題】
【０００１】近年小学生の誘拐や痴漢、ひったくり等子供や女性、年寄を狙った犯罪が増加しており、これらの犯罪に対抗する自衛の手段に問題がある。
【課題を解決するための手段】
【０００２】上記の課題を解決する自衛手段の１つとして、防犯機能を携帯用袋物に付加するため、防犯目的のブザーをバッグ、鞄、リュックサック、ランドセル等携帯用袋物に組み込んで、操作スイッチに触れると、袋物本体に内蔵したブザーが作動し、袋物本体が警笛音を発するようにし防犯機能を持たせた。
【考案の効果】
【０００３】携帯している袋物本体が警笛音を発することにより、犯罪を阻止する効果が期待できる。
【図面の簡単な説明】
【０００４】
【図１】携帯用袋物に防犯ブザーを組み込んだ全体図
【図２】図１の袋物と形態を異にした袋物に防犯ブザーを組み込んだ全体図
【図３】図１、図２と形態を異にした袋物に防犯ブザーを組み込んだ全体図
【符号の説明】
【０００５】１  携帯用袋物の本体
２  防犯ベル本体を収納するポケット
３  防犯ベル本体
４  防犯ベル本体と操作スイッチをつなぐコード
５  操作スイッチ
【図１】
0003105123.tif 000003
【図２】
0003105123.tif 000004
【図３】
0003105123.tif 000005
(57)【要約】【課題】  本考案は、牛乳等の紙パック容器を開けるとき、簡単に、かつ注ぎ口がきれいに開口できる紙パック開口用具を提供するものである。【解決手段】三角棒の柄１の先端部２を三角錐状の物の尖った頂点部２Ａを下向きに突出させて一体化し、全体の形状をＬ字状にしたことを特徴とする。【選択図】図１
0003105125.tif 000002
【実用新案登録請求の範囲】
【請求項１】
三角棒の柄の先端部を三角推状の物の尖った頂点部を下向きに突出させて一体化し、全体の形状をＬ字状にした紙パック開口用具。
【考案の詳細な説明】
【技術分野】
【０００１】  本考案は、三角棒の柄の先端部を三角錐状の物の尖った頂点部を下向きに突出させて一体化し、全体の形状をＬ字状にした紙パック開口用具に関するものである。
【背景技術】
【０００２】  従来は、牛乳等の紙パック容器を開封する時、親指の爪で開けることが多かった。そのためになかなか開け難かった。しかも、非衛生的であった。
【考案の開示】
【考案が解決しようとする課題】
【０００３】  牛乳等の紙パック容器を開けるとき、指先の爪などで開けることが多く、なかなか開けにくかった。やっと開封しても注ぎ口にむらができ、コップ等の容器に注ぐ場合、乱れてこぼれることがあった。
【課題を解決するための手段】
【０００４】  三角棒の柄（１）の先端部（２）を三角推状の物の尖った頂点部（２Ａ）を下向きに突出させて一体化し、全体の形状をＬ字状にしたことを特徴とする。
【考案を実施するための最良の形態】
【０００６】  以下、本案の実施例について説明する。本考案は、三角棒の柄（１）の先端部（２）を三角錐状の物の尖った頂点部（２Ａ）を下向きに突出させて一体化し、全体の形状をＬ字状にする。これを使用する時は、最初に箱型紙パックの外蓋貼り合わせ部（４）を両手で左右に開き、次に三角棒の柄（１）を片手で握り、先端部の三角推状の物の尖った頂点部（２Ａ）を内蓋貼り合わせ部（５）に当て、三角推状の斜面（２Ｂ）に働く力を利用し、左右に擦りながら押し込み、次に手前に引くことにより注ぎ口を開けることができる。
【考案の効果】
【０００５】  注ぎ口に角度が付いてきれいに開封できるのでコップ等の容器に注ぐ場合、乱れたり、こぼれたりすることがない。
【図面の簡単な説明】
【図１】「本考案に関わる紙パック開口用具の斜視図である。」
【図２】「本考案に関わる紙パック開口用具の側面図である。」
【図３】「本考案に関わる紙パック開口用具の底面図である。」
【図４】「本考案に関わる紙パック開口用具の裏面図である。」
【図５】「本考案に関わる紙パック開口用具の使用中の斜視図である。」
【符号の説明】
１・・・・三角棒の柄
２・・・・先端部
２Ａ・・・三角推状の物の尖った頂点部
２Ｂ・・・三角推状の斜面
３・・・・紙パック
４・・・・外蓋貼り合わせ部
５・・・・内蓋貼り合わせた部
【図１】
0003105125.tif 000003
【図２】
0003105125.tif 000004
【図３】
0003105125.tif 000005
【図４】
0003105125.tif 000006
【図５】
0003105125.tif 000007
(57)【要約】      （修正有）【課題】本考案は廊下，各部屋に設置を義務付けられた消火器を効率よく使用し行動を阻害するスペースを無くし消防効果をあげるものである。【解決手段】消火器ボックスを躯体（壁）の中に設置し、両面より消火器１を取り出す事により上記の課題を解決するものである。【選択図】図１
0003105122.tif 000002
【実用新案登録請求の範囲】
【請求項１】
消火器を設置するに当り、壁面に消火器ボックスを埋め込み、その内部に消火器を１〜２台収容し、消火器ボックスの扉を両面［壁面の両側）に開く様に製作した両面使用可能消火器ボックス。
【考案の詳細な説明】
【技術分野】
【０００１】、本考案は両面から消火器が取り出せる消火器ボックスである。
［背景技術］【０００２】学校、公会堂、ホテル、など公共の建物には各所に消火器を配することが義務つけられている。
［考案の開示］
［考案が解決しようとする課題］【０００３】現在施行中の消防法により設置を義務つけられている消火器の数だけ経済的負担、美観上の
0003105122.tif 000003
［課題を解決するための手段］］【０００４】
0003105122.tif 000004
解決するものである。
［考案の効果］【０００５】
0003105122.tif 000005
［考案を実施するための最良の形態］【０００６】
0003105122.tif 000006
［実施例］【０００７】  以下、添付図面に従って、実施例を説明する。▲１▼は火器．▲２▼は躯体（壁）
コンクリート、木材、石膏ボード、石材等色々な材料の場合がある消火器ボックス
0003105122.tif 000007
【０００８】  特に注意する点は，右側の扉を開けた場合に右側から左側の扉が開けられない様な設計にして、
0003105122.tif 000008
必ず盗難防止の機能を備える事。
【図面の簡単な説明】
【０００９】［図１］本考案の消火器ボックスの平面図である。
［図２］本考案の消火器ボックスの立面図である。
【符号の説明】
【００１０】  ▲１▼  消火器                ▲４▼  閉じた扉
0003105122.tif 000009
▲３▼  消火器ボックス        ▲６▼扉のハンドル
【図１】
0003105122.tif 000010
【図２】
0003105122.tif 000011
(57)【要約】【課題】家庭内におけるゴミの収集の際、ゴミの仕分け、収納を容易にした分別用ゴミ箱であって、近時、家庭用ゴミの分別が厳しく求められており、ゴミを投棄する時に仕分けて、入れ易くしておくことが効率的である。【解決手段】  本考案は、ゴミ箱の中間に可動式の仕切板を有するもので、仕切板の下の部分は丸軸にし、ゴミ箱の底の部分に支点となる軸受けを設けて、丸軸の回転で仕切板を自由に可動させることで、ゴミ箱上面部のゴミの投入口を随意の大きさに変えることが出来、ゴミの分別、収納を容易にしている。【選択図】  図１
0003105121.tif 000002
【実用新案登録請求の範囲】
【請求項１】
１  中間に可動式の仕切板を持ち、仕切板の下部は丸軸。
２  仕切板は、ゴミ箱底部の軸受けを支点として丸軸部分が回転し、ゴミ箱内部を容易に移動して、ゴミ投入口を随意の大きさに変える。
３  仕切板の天部には取っ手を有する。
４  仕切板は取り外しが可能。
以上からなる分別用ゴミ箱
【考案の詳細な説明】
【技術分野】
【０００１】本考案は、家庭内におけるゴミ収集の際、簡単にゴミを仕分けして収納することを目的としたゴミ箱に関するものである。
【背景の技術】
【０００２】一般家庭において各部屋に１個ないし２個のゴミ箱を置くことは通例であるが、ゴミを投入する際紙類とプラスチック類などの仕分をせずに同じ箱に入れてしまうことが多い。
【考案の開示】
【考案が解決しようとする課題】
【０００３】近時、家庭用ゴミの分別が厳しく求められており、ゴミを箱に投入する際に、簡単に仕分けして入れ易くしておくことが効率的である。
【課題を解決するための手段】
【０００４】本考案はゴミ箱の中間に可動式の仕切板を持ち、その仕切板の下の部分は丸軸になっていて、ゴミ箱の底の部分の中間及び、少しずらした処に設けた軸受けを支点として、ゴミ箱の内部で仕切板が左右のどの位置にも止まり、又、動き易くしてゴミ投入口を随意の大きさに変えることができ、種別のゴミ量にも対応できるようにして、問題点を解決している。
【考案の効果】
【０００５】上述の如く本考案によって１個のゴミ箱で、２種以上に仕分けしてゴミの投げ入れ時から分別を容易にし、種別のゴミ量にも対応することが出来る。
【考案を実施するための最良の形態】
【０００６】ゴミ箱の中間に可動式の仕切板を入れ、その仕切板にてゴミを種類別に分ける。ゴミ箱の底の部分に、仕切板下部の丸軸を受ける軸受けを設け、そこに軸部分を嵌め、軸の回転で仕切板を自由に動かす。ゴミを多種類に分ける場合は、軸受けと仕切板を増やす。
【実用例】
【０００７】以下、添付図面に従って実施例を説明する。
図１は、ゴミ箱の斜面図にて仕切板５の状態を示す。ゴミ箱の底の部分には、仕切板下部の丸軸６を受ける軸受け２を二箇所設け、分別ゴミの量に応じて仕切板の支点の位置を変える。仕切板の上部はゴミ箱上面部の位置４を最端として４Ａ及び４Ｂの範囲を移動して、ゴミ投入口の大きさを変えることができる。又、箱の内部に入ったゴミの量に応じ、仕切板の位置は自ずと変わる。
図２は、仕切板の正面図にて、下部は回転し易い丸軸６になっており、軸受け２の中で回転して仕切板を左右に動かす。仕切板の天部には取っ手７がついており、ゴミ箱内に回収用のゴミ袋（例えば買物用ポリ袋）を付ける場合は、その取っ手にゴミ袋の手提げひもを掛ける。
図３は、仕切板の断面図にて、仕切板下部の丸軸部分６を軸受け２に嵌める。
【図面の簡単な説明】
【０００８】
【図１】  ゴミ箱の斜面図
【図２】  仕切板の正面図
【図３】  仕切板の断面図
【符号の説明】
【０００９】１  ゴミ箱の上面部
２  仕切板の軸受け
３  仕切板上部のストッパー
４  仕切板上部が移動する位置の範囲（Ａ，Ｂ）
５  仕切板
６  仕切板下部の丸軸部分
７  仕切板の天部にある取っ手
８  仕切板の軸受け除けの切込み部分
９  ゴミ袋のひも掛け
【図１】
0003105121.tif 000003
【図２】
0003105121.tif 000004
【図３】
0003105121.tif 000005
(57)【要約】【課題】従来、アンテナ支線杭は、地中深く打ち込むためその引き抜き作業が困難であった。それを解決すため３脚をもち雄雌ネジを利用した引き抜き工具を提供する。【解決手段】支線杭（６）を中心にして引き抜き工具を置く。そして支線杭のリングに引き抜き工具の回転フック（４）を引っ掛けて雄ネジの上部に設けられたハンドル（１）を回すことで支線杭（６）を上側に引き抜くことを特徴とする。【選択図】図１
0003105198.tif 000002
【実用新案登録請求の範囲】
【請求項１】
雌ネジをもった円板（３）に３ヶの脚（５）を設け、その雌ネジ円板（３）に、回転フック（４）およびハンドル（１）を有する雄ネジ軸（２）を装着し、ハンドル（１）を回転して杭を上側に引き抜く、支線杭引き抜き工具。
【考案の詳細な説明】
【技術分野】
【０００１】この考案は、アンテナ支線杭の引き抜き工具に関するものである。
【背景技術】
【０００２】従来、無線基地などの仮設時、アンテナ支線を張るために、支線杭が打ち込まれる。基地の撤去時に打ち込まれた支線杭の引き抜き作業が、困難で非効率であった。
【考案が解決しようとする課題】
【０００４】本案は、基地の撤去時、アンテナ支線杭の引き抜き作業を、安全かつ容易にするものである。
【課題を解決するための手段】
【０００５】いまその解決手段を図面によって説明すれば
（イ）支線杭（６）を中心にして引き抜き工具を置く。
（ロ）支線杭に回転フック（４）を引っ掛ける。
【考案の効果】
したがって、引き抜き工具のネジを有するハンドルを回すことにより、簡単にかつ安全に引き抜くことができる。
【図面の簡単な説明】
【図１】本考案の斜視図
【符号の説明】
（１）ハンドル
（２）雄ネジ軸
（３）雌ネジ円板
（４）回転フック
（５）脚
（６）アンテナ支線杭
【図１】
0003105198.tif 000003
(57)【要約】      （修正有）【課題】プラスチック製箕に、重いものを入れても凹みや変形、亀裂も生じにくく使用し易く、長期利用と改良材料が原価で経済効果有る箕を提供する。【解決手段】プラスチック製箕の裏側溝に沿って、弾制パイプを折らず曲げて取りつける事を特徴とする。【選択図】図４
0003105191.tif 000002
【実用新案登録請求の範囲】
【請求項１】
本案はプラスチック製箕の縁部に、弾性パイプを取りつける事を特徴とする改良箕。
【考案の詳細な説明】
【技術分野】
【０００１】この考案はプラスチック製箕の縁にパイプを取りつつけた箕に関するものである。
【背形技術】
【０００２】従来のプラスチック製箕は、重いものを入れると極度に凹むために作業もやりにくい。又重力が局部に集中するため、変形し亀裂を生じ廃品になり易かった縁の裏側、図３のア．イの中間溝ウ、には、僅かの高さの突起、ト、があるが前述の欠点がある
【考案が解決しようとする課題】
【０００３】上述の缺点を解決するため、重い物を入れても凹みにくく、変形も亀裂も生じにくくする
【課題を解決するための手段】
【０００４】本考案は、箕の縁部裏側の溝に弾性パイプとして、エンビ水道パイプ径１３ミリを取りつける事で課題を解決している。留意点として、２と２Ａは折らずに曲げる事。
【考案の効果】
【０００５】縁部全体の弾性を増大する事で、重いものを入れて極度に凹まない。故に変形しないので、重力は分散されるために、従来の箕の如き局部亀裂も生じにくいので作業をやり易い。
【考案を実施するための最良の形態】
【０００６】一般の家庭でも使用するが、特に農家は穀類や、芋類等重量物の集荷運搬に利用する事多く、前述の欠点が解決され総ての作業が容易で能率的
【実施例１】
【０００７】従来のプラスチック製箕に、１０キロの米を入れ両手で持ち上げると箕の中央部は凹み、箕の口部６は１５センチも凹み両縁の先端５と５Ａは２０センチも縮少し、平面図的に見れば１を底辺とした三角形に類似ために２と２Ａに重力が集中し亀裂の原因となり又、体積も極度に減少中の米もこぼれ易くなる。改良箕は同１０キロの場合縁の先端部は僅か縮少するのみ、２０キロ入れても従来の１０キロの時より凹まないので、米もこぼれない  図５、６で明示
【実施例２】
【０００８】作物を栽培する場合堆肥は絶対重要な肥料である。この作業には、箕が最も使用し易く一番利用されている。それ故縁部の弾性強度が絶対條件となる。箕に一杯入れた堆肥は、一定でないが約１０キロ通常は左手で３の縁部を握り、箕を上げ乍ら３Ａを人の腰骨の上に乗せる。３は持ち上げる力のみでなく、３の縁を腰骨に押しつける力が絶対大事これにより箕を支える事が出来る。故に両手で上げても凹む箕を更に力を加えるので従来の箕は三角状となり、後に辷り落ち易く作業がやりにくかった。
【産業上の利用可能性】
【０００９】重量的に、見ても従来の箕の約２培のものを入れられる事は、何れの使用時でも、無駄な労力と時間の節減となり。又弾性パイプが安価な物品であるので其の利用で、使い易い、亀裂の生じにくい長期使用可能な事は経済的にも価値を生じる
【図面の簡単な説明】
【００１０】
【図１】平面図
【図２】断面図
【図３】図２の突起一部拡大図
【図４】改良箕斜視図
【図５】従来の箕に１０キロ入れた作業姿
【図６】改良箕に２０キロ入れた作業姿
【符号の説明】
【００１１】Ｐ        弾性パイプア        縁の外面イ        縁の内面ウ        縁の裏の溝ト        ウの上部の突起１        奥部の縁２．２Ａ  縁の曲部３．３Ａ  手で握る又腰骨に乗せる部４．４Ａ  縁の変形の一部５．５Ａ  両縁の先端６        ５、５Ａの中間箕の口
【図１】
0003105191.tif 000003
【図２】
0003105191.tif 000004
【図３】
0003105191.tif 000005
【図４】
0003105191.tif 000006
【図５】
0003105191.tif 000007
【図６】
0003105191.tif 000008
(57)【要約】      （修正有）【課題】洗濯に際して色物や他の物を混在させることのない脱衣籠を提供する。【解決手段】仕分け用ネット１の一方に、伸縮性の紐２を通しその両端に留め金２及び３を取り付け、脱衣籠に係止しそれを仕切りとする事で２層化を実現した。【選択図】図２
0003105196.tif 000002
【実用新案登録請求の範囲】
【請求項１】
ネット１の一方の端に、伸縮性の紐２を通しその両端に留め金２及び３を取り付け、脱衣籠に係止して洗濯物を仕分けるネット。
【考案の詳細な説明】
【考案の詳細な説明】
【考案が解決しようとする課題】
【０００１】  従来、脱衣籠の投入口は一層のため、色物や他の物を混在させる事になり洗濯の都度、仕分けを余儀なくされる。投入時点から仕分けしてしまえないか。
【課題を解決するための手段】
【０００２】  ネット１の一方の端に、伸縮性の紐２を押し通しその両端に留め金３及び４を取り付け、脱衣籠に係止し２層の投入口を出現させた。
【考案の効果】
【０００３】・  洗濯物を投入時点から仕分けられるため、一層分そのまま洗濯機に入れられ仕分けの手間が省ける。
・  ２層の洗濯物量の多少に依っては、仕切りの位置を自在に動かし対応出来る。
・  伸縮性の紐のため、どんな脱衣籠にも対応出来る。
【図面の簡単な説明】
【図１】仕分け用ネットの正面図である。
【図２】脱衣籠に、仕分け用ネットを使用したところの図である。
【符号の説明】
１仕分け用ネット
２伸縮性の紐
３留め金
４留め金
【図１】
0003105196.tif 000003
【図２】
0003105196.tif 000004
(57)【要約】【課題】脱水後の洗濯物を乾燥させるには洗濯物をほぐす必要があるが、ほぐし部材が発する騒音を軽減する。【解決手段】洗濯槽凸状の先端に凸部を設けほぐし部材の先端が勘合した後ほぐし部材を洗濯槽の凸状に添つて曲げることでほぐし部材の衝撃力を歪力に転換させ騒音を軽減する。【選択図】図１
0003105197.tif 000002
【実用新案登録請求の範囲】
【請求項１】
洗濯乾燥機の洗濯槽凸状の底面先端部に小さい凸部を設け、ほぐし部材先端部を洗濯槽の凸部先端にぴつたり勘合する形体とし、継続する曲面のカーブを洗濯槽よりほぐし部材の曲面を広くし、先端部より側壁にかけて隙間を徐々に広くする、側壁に並行する立ち上がり部は、側壁とほぐし部材に間隙を設け、ほぐし部材が元の位置に戻つた際側壁を叩かぬ構成とした洗濯乾燥機。
【考案の詳細な説明】
【技術の分野】
【０００１】本考案は、洗濯乾燥機の騒音防止に関するものである。
【背景技術】
【０００２】洗濯乾燥機では脱水完了後洗濯物をほぐす必要があるが、パルセーターレス、スラリー洗濯乾燥機に於いては洗濯完了後乾燥行程に入るため、洗濯物をほぐすほぐし部材が元の位置に戻る際、ほぐし部材が洗濯槽の側壁を叩き騒音を発生させる問題があつた。【０００３】この改善策として、ほぐし部材が戻る際の衝撃エネルギーをほぐし部材の歪力に転換し騒音を軽減する。【０００４】ほぐし部材が戻る際、洗濯槽凸状の先端にほぐし部材先端が勘合し、それ以上戻れなくなつたほぐし部材のエネルギーは洗濯槽凸状の曲面に添つて曲がりながら歪力に転換し消費されるので騒音を軽減できる。【０００５】洗濯槽凸状の先端とほぐし部材の先端が勘合することにより、洗濯中に洗濯物がほぐし部材に当たりほぐし部材が曲がるのを防ぐ効果がある。
【特許文献１】特開２００２−２４８２９７号公報
【考案の開示】
【考案が解決しようとする課題】
【０００６】解決しようとする問題点は、脱水で固まつた洗濯物を乾燥させるため、ほぐさなければならない点である。
【課題を解決するための手段】
【０００７】本考案は、洗濯物をほぐす部材が洗濯槽に当たる衝撃力をほぐし部材の歪力に転換することを最も主要な特徴とする。
【考案の効果】
【０００８】本考案のほぐし部材が洗濯槽凸状の下部先端部に勘合したさい小さな音が発生するが、衝撃エネルギーの大部分はほぐし部材の歪力に転換される。
【考案を実施するための最良の形態】
【０００９】洗濯槽凸状先端部の小さな凸部からの曲面はほぐし部材が滑らかに曲がりながら衝撃エネルギーを歪力に転換できるような曲面とする。
【実施例１】
【００１０】図１は、本考案装置の１実施例の断面図である。図２は、図１の１ａに於ける横断面図である。図３は、図１に於けるほぐし部材の作動説明図である。【００１１】ほぐし行程以外ではほぐし部材は洗濯槽側壁ちかくに配置されているが、ほぐし部材押し出し装置１３が進出位置に来るとほぐし部材９が押し出されて洗濯物を跳ね上げてほぐしていく。【００１２】押し出し装置１３を外れると、ほぐし部材は洗濯槽の回転による遠心力とばねの力により元の位置に戻るが、洗濯槽の凸状１ｃの底面先端部にほぐし部材９の先端部が勘合後、凸状曲面に添つてほぐし部材が曲がりながら衝撃エネルギーを歪力に転換することにより騒音を低減する効果がある。
【産業上の利用可能性】
【００１３】家庭用の洗濯乾燥機についての実施を想定しているが業務用の洗濯乾燥機にも適用できる。
【図面の簡単な説明】
【００１４】
【図１】は実施例の洗濯機の縦断面図
【図２】は実施例の洗濯機の洗濯脱水槽の排水穴部分における横断面図
【図３】は図１に於けるほぐし部材の作動説明図
【符号の説明】
【００１５】９    ほぐし部材
１０  回転軸
１１  ばね
１２  押し出し棒
１３  ローラー
１４  アーム
【図１】
0003105197.tif 000003
【図２】
0003105197.tif 000004
【図３】
0003105197.tif 000005
(57)【要約】【目的】  この考案はラジウム原石のホルミシス効果と人体加温による代謝率向上効果とを簡便に実施するものである。【構成】  （１）の底板に（２）の外枠を設けてこれを固定し、底板の上に（３）の加熱部を載せ、加熱部の上に（４）のラジウム原石を載せ、（５）の電源接続部で電源に接続する。【選択図】  図  ２【実用新案登録請求の範囲】
【請求項１】
成型枠１の内側に、人体加温部を下部２に平面状に設け、加温部の上部３にラジウム原石の板状、又は粒状，粉状砂を乗せた岩盤浴装置。
【考案の詳細な説明】
【考案の詳細な説明】
【産業上の利用分野】
【０００１】この考案は、温熱効果としての人体の代謝率向上と、ホルミシス効果を目的とする花崗岩ラジウム原石の微量放射線とを組み合わせたものである。癌の告知を受けた患者は代謝率の低下とそれに伴う免疫力の低下が見られるので、本装置は代謝率の向上と免疫力の回復とを目的とする。
【背景技術】
【０００２】サウナや温泉による人体加温方法と、マットや毛布、電気カーペットによる仰臥し、背部からの加温が在った。又外国でもオンドルやペーチカの形での加温方法もあった。  ラジウムは主として温泉浴と、それに伴うラドン吸入、本発明の名称である、自然のラジウム放射地域での岩盤浴のような乾式仰臥タイプも存在する。
【考案が解決しようとする課題】
【０００３】１  温泉やサウナでは、自分一人だけの為に自由に温度を調節することは出来ない。
２  又そのためには設備のあるところまで出向かなくてはならない。
３  電気マット、電気毛布、電気カーペットでは、電磁波に対する害が報告されており９５％もの電磁波を遮断するものであっても、１００％遮断ではないので心配がある。
４  外国の設備や自然の岩盤では普段は利用できない。
５  ラジウムは、湯の花を家庭の浴槽で利用する方法や同じく浴槽でセラミックボールなどの形で利用するものがある。
６  またラジウム温泉の湯の花を、ゲル状物質と混ぜ、平板な袋を背部に敷き仰臥するものもあった。本考案は、これらの欠点を解決する目的でなされたものである。
【課題を解決する為の手段】
【０００４】１  個人が家庭で使えるよう、自動車を用いたら運搬可能となる重さとサイズにする。
２  電磁波の発生しない様、直流カーボン式加温フィルムを用いたり、電磁波発生の可能性のある温度コントロール部は、これを本体から３０センチメートル以上離す。
３  人体加温手段は、水を媒介とする風呂ではなく、乾式の岩盤に仰臥するものとする。
４  放射線量を微弱なものに留める為、自然石のラジウム使用に限定する。
【考案実施の形態】
【０００５】ラジウム原石を砕石所で切り出し、板状で用いる場合、持ち運びと移動を容易にするため、縦３６センチメートル、幅７５センチメートル、厚さ１５０ミリメートル程度のサイズで、５枚程度に分割した形で構成する。外枠を含むサイズの場合、縦２００センチメートル、幅９０センチメートル程度とする。粒状砕石又は細かな砂状ラジウム利用の場合、粒状成型枠の深さは、粒状原石が溢れない程度の深さとする。  加温方法については、電気、ガス、石油系燃料その他、人体加温に必要な加熱手段であればどのような方法でもよい。
【実施例】
【０００６】（イ）平らな板状底板（１）と外枠（２）とで岩盤浴の外形を造る。
（ロ）この形状の板状底板の上に加熱部（３）を載せる。
（ハ）加熱部（３）の上に板状ラジウム原石又は粒状ラジウム原石（４）を載せる。
（二）加熱部に温度を通し、適温に達した後、人はこのラジウム原石の上に仰臥し、岩盤浴を利用する。
【考案の効果】
【０００７】人体の加温効果に対する評価は、『癌に効く遠赤外線療法への確信』『体を温めると病気は必ず治る』『遠赤外線療法の科学』などの著作があり（著者名省略）、意見を同じくする医師や学者がいる。ラジウムのホルミシス効果については、国の原子力機関や原子力発電に関係する各電力会社の持つ資料にも詳しい。
本装置は、ラジウム原石の持つ傷ついた細胞への癒し効果と、代謝率向上による間接的免疫能力の向上に役立つものである。
【図面の簡単な説明】
【図１】  平面図
【図２】  側面図
【図３】  斜視図
【符号の説明】
（１）  底板。
（２）  は外枠。
（３）  は加熱部。
（４）  はラジウム原石。
（５）  は電源接続部。
【図１】
0003105193.tif 000002
【図２】
0003105193.tif 000003
【図３】
0003105193.tif 000004
(57)【要約】【課題】  本考案は、携帯用の化粧用コンパクトの使用する際に使う付属の鏡を従来よりもより広範囲を見やすくして、化粧状態の確認を容易にするために出来ないかと考えた。【解決手段】  普通に使われている、平面的な鏡を、公道の交差点や見通しの効かないカーブなどに使われているような、鏡の表面が凸型に反った形の鏡を化粧用コンパクトに取り付けることにより、鏡のサイズは小さくても広範囲が映せるようになります。【選択図】  図１
0003105168.tif 000002
【実用新案登録請求の範囲】
【請求項１】
携帯用の化粧用コンパクトに平面鏡ではなく、反りの入った凸型鏡を使って従来のコンパクトに使われている鏡よりも同じサイズであっても、より広範囲を映せるようにした化粧用コンパクト。
【考案の詳細な説明】
【技術分野】
【０００１】  本考案は、化粧用コンパクトの使用状況改善に関する。
【考案の開示】
【考案が解決しようとする課題】
【０００２】  従来、主に携帯用化粧コンパクトに使われている、小さな鏡では化粧する時に、顔の部分的な所のみしか映せずに、顔全体を化粧する場合には、鏡に向かって顔を上下左右に頻繁に動かすか、鏡自体を頻繁に動かさなくてはならず、また全体の化粧バランスが分りづらいと言う点がある。
【課題を解決するための手段】
【０００３】  そこで本考案は、コンパクトに付いている鏡を、従来の平面の状態から、反りの付いた凸型の鏡を装着することにより、同じサイズの鏡でも、従来の平面よりも、広範囲が写せるようになります。
【考案の効果】
【０００４】  コンパクトが小さくなればなるほど、携帯にはとても便利になりますが、反面化粧状態を確認する為の付属の鏡も小さくなり、化粧状態が分り難くなりますが、その状況が改善され化粧がやりやすくなります。
【考案を実施するための最良の形態】
【０００５】  本考案の図を説明します。【０００６】  従来のコンパクト同様に、コンパクトケース１に、凸型の鏡２を埋め込みます。【０００７】  尚、本図では角型の鏡を描いていますが、埋め込む鏡の形は各コンパクトのサイズやデザインに応じて円形でも凸型の状態であればよいですが、取り付ける鏡の大きさが小さいほど、反りの角度はやや大きく取った方が効果的に広範囲が写ります。【０００８】  鏡と反対側のケース４には、従来の製品同様、３の化粧品や道具等を収納する部分を。
【図面の簡単な説明】
【０００９】
【図１】  本考案の実施形態の例を表した外観図
【図２】  本考案を真横から見た外観図
【図１】
0003105168.tif 000003
【図２】
0003105168.tif 000004
(57)【要約】      （修正有）【課題】従来の自転車スタンドは安定感に欠け、かつ足動式のため不安定な動作や労力を要するなど、構造上に大きな課題があった。これらを改善し安全かつ軽便性を高めるため手動のハの字型スタンドを考案し、直立安定駐輪を可能ならしめる。【解決手段】中央竪フレ−ム２後部に枠１を取り付け、レバ−４を下部に押し下げると内蔵したシャフト３の下半が自動的にハの字型に開脚して、直立安定駐輪を可能にする手動自転車スタンドである。【選択図】図２
0003105167.tif 000002
【実用新案登録請求の範囲】
【請求項１】
中央竪軸フレ−ムに枠を設け、その枠に下半がハの字に開閉する上下動シャフトを装着した手動自転車スタンド
【考案の詳細な説明】
【技術分野】
【０００１】  この考案は中央竪フレ−ムに下半がハの字に開閉する上下動シャフトを取り付け、直立安定駐輪をうながす手動自転車スタンドに関するものである。
［背景技術］【０００２】  従来の自転車スタンドは安定感に欠け、かつ足動式のため不安定な動作と労力を必要としていた。
［考案が解決しようとする課題］【０００３】  そのために次のような問題点があった。
（イ）  足動式直立スタンドは、接地部巾が３０センチメ−トル前後、片スタンドは駐輪時にほぼ１０度〜１５度の傾斜が生じるため、安定性がなく、かつ強風による転倒が起こりやすかった。
（ロ）  足動式直立スタンドは、荷積み状態で駐輪する際片足立ちでスタンドを押し下げ、自転車後部を持ち上げるなどの労力や不安定な動作が必要である。
（ハ）  足動式片スタンドは、傾斜駐輪となるため積荷処理などに細心の注意と労力が必要である。
（ニ）  いずれのスタンドも露出型であるため、状況により凶器化するなどの危険性がある。
本考案は以上の問題点を解決するためになされたものである。
［課題を解決するための手段］【０００４】  中央竪フレ−ム後部に枠を取り付け、レバ−を下部に押し下げると内蔵したシャフトの下半が自動的にハの字型に開脚して直立安定駐輪を可能にする手動自転車スタンドである。
［考案の効果］【０００５】（イ）  足を使わず手でシャフトを下部に押し下げると自動的に下半が開いてハの字型スタンドに変化するため、簡便な動作で直立駐輪が可能になる。
（ロ）  ハの字型スタンドの接地巾が４５〜５０センチメ−トル前後となり、かつ中央部に位置するため従来型に比べて大幅に転倒の危険性が減少し安定性が高まる。
（ハ）  ハの字型スタンドは、手でレバ−を引き上げると自動的にシャフトに収納されるため、従来の露出型スタンドに比べ凶器化の危険がなく、安全性が高まる。
［考案を実施するための最良の形態］【０００６】  以下本考案の実施の形態について説明する。
（イ）  下半がハの字型に開閉するスタンドを内蔵した（１）枠を（２）竪フレ−ム後部に堅固に取り付ける。
（ロ）  （１）枠には（３）シャフトを内蔵し、枠外に設けた（４）レバ−で上下動するよう必要な範囲で（５）スリットを設ける。
（ハ）  （４）レバ−を半で押し下げると（３）シャフトが下降し、下半に設けた（６）ハの字型スタンドが（７）開閉棒によって自動的に開脚し、スタンドに変化する。
（ニ）  （６）ハの字型スタンドの接地巾は４５〜５０センチメ−トル前後に、またスタンドの開脚角度は９０度前後に保たれるよう（１）枠の最下部にスカ−ト状の堅固な（８）ストッパ−を設ける。
（ホ）  （３）シャフトを引き上げる際、軽便に作動するよう（９）バランスバネを設け上下をそれぞれ固定する。この（９）バランスバネは収納したシャフト全体の落下防止も兼ねるよう適切な強度にセットする。
（ヘ）  （１）枠及び（３）シャフト、（６）ハの字型スタンドは必要な強度と腐蝕に耐える鋼材を使用する。
本考案は、以上の構造で使用する時は、自転車を停めた状態でサドル下のレバ−を手で上下するのみで簡便にハの字型スタンドが開閉するため、不安定な動作や労力なしに直立安定駐輪が可能である。
【図面の簡単な説明】
【０００７】［図１］  手動自転車スタンド設置位置図
［図２］  本考案の使用状況を示す説明図
（ａ）枠の形状図
（ｂ）シャフトの収納状況説明図
（ｃ）シャフトの使用状況説明図
【符号の説明】
【０００８】（１）枠
（２）竪フレ−ム
（３）シャフト
（４）レバ−
（５）スリット
（６）ハの字型スタンド
（７）開閉棒
（８）ストッパ−
（９）バランスバネ
【図１】
0003105167.tif 000003
【図２】
0003105167.tif 000004
(57)【要約】【課題】イ、携帯電話は、表面がツルツルですべりやすく、人ごみなどで歩きながら操作していれば、ちょっとした衝撃を受けただけで落してしまう可能性がある。ロ、携帯電話を携帯する時と場面によっては置き忘れたり、荷物があって操作できなかったり、保持することの安定性に不安をともなった。【解決手段】携帯電話の任意の位置に本考案の「貼るだけのリング式携帯電話保持具」の固定部（１）を貼りつけ、伸縮性のあるリング部（３）に指を通し、手のひらに携帯電話を密着させることを特徴とする。【選択図】図３
0003105170.tif 000002
【実用新案登録請求の範囲】
【請求項１】
携帯電話の好みの位置に貼りつける、接着面を持つ固定部（１）と着脱、取り替え可能で、手の大きさや指の太さに応じて伸縮する素材からなる指を通すリング部（３）、そして、固定部（１）とリング部（３）をつなぐ接続部（２）からなる携帯電話保持具。
【請求項２】
携帯電話の好みの位置に貼りつける、接着面を持つ固定部（１）と接続部（２）と伸縮する素材からなる指を通すリング部（３）を一体成型とする請求項１の携帯電話保持具。
【請求項３】
携帯電話の好みの位置に貼りつける、接着面を持つ固定部（１）と接続部（２）と指を通すリング部（３）に切れ目をつけた請求項１の携帯電話保持具。
【考案の詳細な説明】
【考案の詳細な説明】
【技術分野】
【０００１】この考案は、携帯電話の任意の位置に貼りつけ固定し、リングに指を通すだけで、携帯電話を手のひらに固定できる携帯電話保持具に関するものである。
【背景技術】
【０００２】携帯電話は、通話以外にメールの受発信、インターネット接続、カメラ機能など多彩な機能を持ち、画面を見ながらの操作が大きな比重を占めます。落下防止、操作性の向上のため従来のストラップとは異なる保持具が求められている。
【考案の開示】
【考案が解決しようとする課題】
【０００３】イ、携帯電話は、表面がツルツルですべりやすく、人ごみなどで歩きながら操作していれば、ちょっとした衝撃を受けただけで落してしまう可能性がある。
ロ、携帯電話を携帯する時と場面によっては置き忘れたり、荷物があって操作できなかったり、保持することの安定性に不安をともなった。
【課題を解決するための手段】
【０００４】携帯電話の任意の位置に本考案の「貼るだけのリング式携帯電話保持具」の固定部（１）を貼りつけ、伸縮性のあるリング部（３）に指を通し、手のひらに携帯電話を密着させる。
【考案の効果】
【０００５】イ、メールの受発信やカメラ機能など画面を見ながらの操作が安定して行える。
ロ、人ごみのなかでの操作時や移動しながらの操作時に携帯電話を落下させたりする不安を取り除き安心して携帯できる。
【考案を実施するための最良の形態】
【０００６】イ、固定部（１）は携帯電話の任意の位置に固定できる接着力をもたせた構造とする。形状、素材は自由。
ロ  接続部（２）は固定部（１）とリング部（３）を脱着可能で、かつ繋ぐ構造とし形状、素材は自由。なお、固定部とリング部を一体成型とする素材の場合は不要。
ハ、リング部（３）は指を通すため、ある程度伸縮する自由な素材のリング構造とする。
本考案は、以上の構成からなる貼るだけの携帯電話保持具である。
【図面の簡単な説明】
【０００７】
【図１】は、本案の構造を示す斜視図である。
【図２】は、本案の実施例を示す斜視図である。
【図３】は、本案を指に装着時の斜視図である。
【符号の説明】
【０００８】（１）接着力を持たせた固定部
（２）接続部
（３）手や指の太さに応じて伸縮する素材のリング部
【図１】
0003105170.tif 000003
【図２】
0003105170.tif 000004
【図３】
0003105170.tif 000005